(57)【要約】【課題】  接続されている回線が、定額あるいは無料ネットワークなのか、従量制のネットワークなのかを判別することで、無駄な課金の発生を低減化すること。【解決手段】  着信要求信号を受信すると、処理装置１は、無料あるいは定額制ネットワークに接続中であるかを判断する。無料あるいは定額制ネットワークに接続中の場合は、着信応答信号を送信する。また、無料あるいは定額制ネットワークに接続中でない場合には、表示装置に着信画面選択画面を表示する。ユーザが着信を許可しないと着信要求を無視する。なお、予め着信を許可する発呼元を端末装置に設定しておき、従量制のネットワークを介した着信したとき、この設定に基づき接続を許可するか否かを判定するようにしてもよい。また、従量制ネットワークを介して着信した場合、圧縮効率を重視した音声コーデックを選択することで課金金額を低減化するようにしてもよい。【選択図】          図１
2005184288.tif 000002
【特許請求の範囲】
【請求項１】
定額制もしくは無料のネットワーク回線と、送受信されるパケット量に応じて課金される従量制のネットワーク回線に接続されるインターネット電話の端末装置であって、
接続された回線が定額制もしくは無料のネットワーク回線であるか、従量制のネットワーク回線であるかを判断する接続回線判断手段と、
接続された回線が定額制もしくは無料の回線の場合、着信に対する応答を許可し、
接続された回線が従量制の回線の場合、ユーザ設定に応じて着信に対する応答の許可／拒否を行う着信拒否／許可手段を備えた
ことを特徴とするインターネット電話の端末装置。
【請求項２】
上記着信拒否／許可手段は、表示手段に、従量制の回線から着信したことを示すメッセージを表示し、ユーザに着信を許可するか否かを選択させる手段を備えている
ことを特徴とする請求項１のインターネット電話の端末装置。
【請求項３】
上記着信拒否／許可手段は、ユーザが設定した接続先からの着信のみに対して着信に対する応答を許可する
ことを特徴とする請求項１のインターネット電話の端末装置。
【請求項４】
定額制もしくは無料のネットワーク回線と、送受信されるパケット量に応じて課金される従量制のネットワーク回線に接続されるインターネット電話の端末装置であって、
接続された回線が定額制もしくは無料のネットワーク回線であるか、従量制のネットワーク回線であるかを判断する接続回線判断手段と、
高品質な音声符号化を行う第１の音声符号化手段と、品質は低いが高効率な圧縮が可能な音声符号化する第２の音声符号化手段と、
接続された回線が定額制もしくは無料の回線の場合、上記第１の音声符号化手段で音声符号化しデータ送信を行い、接続された回線が従量制のネットワーク回線の場合、上記第２の音声符号化手段により音声符号化しデータ送信を行うデータ送信手段を備えた
ことを特徴とするインターネット電話の端末装置。
【請求項５】
定額制もしくは無料のネットワーク回線と、送受信されるパケット量に応じて課金される従量制のネットワーク回線に接続されるインターネット電話の端末装置における回線接続プログラムであって、
接続された回線が定額制もしくは無料のネットワーク回線であるか、従量制のネットワーク回線であるかを判断する処理と、
接続された回線が定額制もしくは無料の回線の場合、着信に対する応答を許可し、接続された回線が従量制の回線の場合、ユーザ設定に応じて着信に対する応答を許可もしくは応答を拒否する処理をコンピュータに実行させる
ことを特徴とする回線接続プログラム。
【発明の詳細な説明】
【技術分野】
【０００１】
本発明は、ＶｏＩＰ(Voice over IP) サービス（インターネット電話サービス）の端末装置に関し、特に、定額制もしくは無料のネットワーク回線と、送受信されるパケット量に応じて課金される従量制のネットワーク回線に接続されるインターネット電話の端末装置に関するものである。
【背景技術】
【０００２】
近年、インターネット電話が広く普及するようになってきている。
公衆回線を用いた電話では、いたずら電話や間違い電話などが多々あるが、インターネット電話においても、通常の公衆回線を用いた電話と同様、いたずら電話や間違い電話に対処する必要がある。
インターネット電話において、いたずら電話や間違い電話などを未然に防ぐため、電話を受けた際、発呼側の端末があらかじめ設定された発呼側であるかどうかを判断し、これに応じて接続／非接続とするインターネットの端末装置が提案されている（特許文献１参照）。
【特許文献１】特開平９−１６８０５１号公報
【発明の開示】
【発明が解決しようとする課題】
【０００３】
ところで、インターネット電話（以下ではＩＰ電話という）は端末装置がネットワークにＩＰ接続されていることが前提となっている。ＩＰ接続を行う為には回線として、ＡＤＳＬ（Asymmetric Digital Subscriber Line）、携帯電話網等さまざまな経路が考えられる。
定額制あるいは無料のネットワーク上でＩＰ電話を実現するにあたっては、通話に際して送受信されるパケットの量に関わらず費用は一定である。しかし、従量制のネットワーク上ではパケット送受信量に応じて課金されることとなる。例え、着信側であったとしても、着信処理や通話時にはパケットが端末から送り出すこととなる為、課金されてしまう。すなわち、インターネット電話では、従来の電話機のルール（着信側は費用負担しないというルール）が適用されなくなる。
このため、例えば端末装置が定額制の経路を介してＩＰ接続される通信モジュールと、従量制の経路を介してＩＰ接続される通信モジュールを実装している場合、従量制の経路を介して着信すると課金が発生するといった問題が生ずる。特に、悪意あるユーザーが特定ユーザーに対して発呼を行うことで、着呼側装置で無駄に課金させることが可能となる、という問題も発生する。
本発明は、上記事情に鑑みなされたものであって、本発明の目的は、接続されている回線が、定額あるいは無料ネットワークなのか、従量制のネットワークなのかを判別することで、無駄な課金の発生を低減化することである。
【課題を解決するための手段】
【０００４】
上記課題を本発明においては、以下のように解決する。
（１）接続された回線が定額制もしくは無料のネットワーク回線であるか、従量制のネットワーク回線であるかを判断する。そして、接続された回線が定額制もしくは無料の回線の場合、着信に対する応答を許可し、接続された回線が従量制の回線の場合、ユーザ設定に応じて着信に対する応答の許可／拒否を行う。
（２）上記（１）において、表示手段に、従量制の回線から着信したことを示すメッセージを表示し、ユーザに着信を許可するか否かを選択させる。
（３）上記（１）において、ユーザが予め設定した接続先からの着信のみに対して着信に対する応答を許可する。
（４）接続された回線が定額制もしくは無料のネットワーク回線であるか、従量制のネットワーク回線であるかを判断し、接続された回線が定額制もしくは無料の回線の場合、高品質な音声符号化を行う音声符号化手段で音声符号化し、接続された回線が従量制のネットワーク回線の場合、品質は低いが高効率な圧縮が可能な音声符号化手段により音声符号化する。
【発明の効果】
【０００５】
本発明においては、以下の効果を得ることができる。
（１）接続された回線が定額制もしくは無料の回線の場合、着信に対する応答を許可し、接続された回線が従量制の回線の場合、ユーザ設定に応じて着信に対する応答の許可／拒否を行うようにしたので、着信時に思わぬ課金が発生するのを防止することができ、また、悪意あるユーザーが特定ユーザーに対して発呼を行うことで、着呼側装置で無駄に課金させるといったことを防止することができる。
（２）接続された回線が定額制もしくは無料の回線の場合、高品質な音声符号化を行う音声符号化手段で音声符号化し、接続された回線が従量制のネットワーク回線の場合、品質は低いが高効率な圧縮が可能な音声符号化手段により音声符号化するようにすることで、従量制のネットワーク回線に接続されている場合でも、課金金額を低減化することができる。
【発明を実施するための最良の形態】
【０００６】
図１は本発明の実施例の端末装置のハードウェア構成を示す図である。同図において、１は処理装置であり、発着信号処理を実行するとともに、通信パラメータ・ネゴシエーション処理、音声コーディック符号化、復号化処理を実行する。
処理装置１には、バス１ａを解してメモリ／ＩＯバスコントローラ２（以下バスコントローラ２という）が接続されており、バスコントローラ２には、メモリバス２ａを介してメモリ（ＲＡＭ）３とメモリ（ＲＯＭ）４が接続されている。メモリ（ＲＯＭ）４には、ＶｏＩＰ(Voice over IP) 制御を行うソフトウェアが常駐している。
また、ＩＯバス２ｂを介してＷＬＡＮモジュール５、ＷＡＮモジュール６、オーディオコントローラ７に接続され、オーディオコントローラ７には、マイク８、スピーカ９が接続されている。
【０００７】
図１において、点線は音声信号の流れを示し、破線はデータパケットの流れを示す。同図に示すように、ＷＬＡＮモジュール５あるいはＷＡＮモジュール６で受信したパケットは、バスコントローラ２を介して、処理装置１に送られて処理され、処理装置１から音声信号がバスコントローラ２、オーディオコントローラ７を介して、スピーカ９に送られ、音声として出力される。また、マイク８から入力された音声は、オーディオコントローラ７、バスコントローラ２を介して処理装置１に送られて処理され、処理装置１からパケットがバスコントローラ２を介してＷＬＡＮモジュール５あるいはＷＡＮモジュール６に送られ送信される。
上記のように、ＷＬＡＮ（IEEE802.11b 規格等のWireless LAN) やＷＡＮ（Wide  Area  Nwtwok) を介して、インターネットに接続し、上記マイク８、スピーカ９を用いてインターネット電話により、通話相手と通話することができる。
なお、ＷＬＡＮを介した経路の場合には、通常、通話に際して送受信されるパケットの量に関わらず費用は一定である。また、上記ＷＡＮを介して通話する場合には、接続経路により、定額制の場合もあれば、前記したように従量制の場合がある。例えばＰＨＳの場合は、送受信されるパケットの量に関わらず費用は一定であるが、例えばＦＯＭＡ（商標）の場合には、パケット送受信量に応じて課金される。
【０００８】
図２は本発明の端末装置のソフトウェア構成を示す図である。同図に示すように端末装置のソフトウェアは、通信デバイス１，２からなる物理層上に、通信デバイス１用および通信デバイス２用ドライバソフトウェアからなるデータリンク層と、ＩＰプロトコル処理を行うトランスポート層を備える。また、セッション層以上には、ＨＴＴＰ、ＲＴＰ等の通信制御を行う処理部と、インターネットを介した通話の制御を行うＶｏＩＰ制御部を備える。
図３は、ＩＰ電話における通信シーケンスを示す図である。
同図に示すように、発呼側から着信要求信号が来ると、着呼側は、着信応答信号を発呼側に返す。ついで、発呼側と着呼側で通信パラメータのネゴシエーションを行い、通話開始する。そして、着呼側は、発呼側から切断通知を受けると、切断通知応答を発呼側に返す。ここで、経路が従量制の場合には、図３の着信応答信号の送出時、通話時には、パケット送信が発生し、着呼側でも課金の対象となる。
そこで、本実施例では、処理装置１において、現在接続されている回線が定額（あるいは無料）ネットワークなのか、従量制のネットワークなのかの判別をし、無駄な課金の発生を低減化する。
通信モジュールとして、例えば、定額制のＷＬＡＮと従量制ＦＯＭＡの両方が実装されている場合、現在接続しているネットワークがＷＬＡＮ経由であれば定額、ＦＯＭＡ経由であれば従量制といった判断を行う。
【０００９】
図４〜図６は本実施例の端末装置の動作を示すフローチャートであり、本実施例においては、着信したとき着信側端末で以下のいずれかの処理を行う。
図４は、従量制ネットワークを介して着信した場合、ユーザの選択に応じて着信要求を無視する場合の処理を示すフローチャートである。
着信要求信号を受信すると、処理装置１は、無料あるいは定額制ネットワークに接続中であるかを判断する（ステップＳ１，Ｓ２）。
そして、無料あるいは定額制ネットワークに接続中の場合は、着信応答信号を送信する（ステップＳ６）。また、無料あるいは定額制ネットワークに接続中でない場合には、処理装置１は図示しない表示装置に着信画面選択画面を表示する（ステップＳ３）。
例えば、表示装置の画面に、着信及び着信を行うことで課金される旨のメッセージを表示し、ユーザーに選択を迫る（ステップＳ４）。これに応じて、ユーザは着信を許可するか否かを選択する。
ユーザが着信を許可しないと着信要求を無視する（ステップＳ５）。また、着信を許可すると、着信応答信号を送信する（ステップＳ６）。
なお、上記処理では、着信選択画面を表示して、ユーザに選択を迫るようにしているが、上記着信選択画面を表示することなく、無料あるいは定額制ネットワークに接続中でない場合には、着信を無視するようにしてもよい。
【００１０】
図５は、従量制ネットワークを介して着信した場合、発信元情報を取得して、ユーザが設定した発信元でない場合には、着信要求を無視する場合の処理を示すフローチャートである。
本実施例では、ユーザが、予め着信を許可する発呼元を端末装置に設定しておき、従量制のネットワークを介した着信したとき、この設定に基づき接続を許可するか否かを判定する。
図５において、着信要求信号を受信すると、処理装置１は、無料あるいは定額制ネットワークに接続中であるかを判断する（ステップＳ１，Ｓ２）。
そして、無料あるいは定額制ネットワークに接続中の場合は、着信応答信号を送信する（ステップＳ６）。また、無料あるいは定額制ネットワークに接続中でない場合には、処理装置１は、発信元情報（発信元電話番号等）を取得する（ステップＳ３）。
そして、発呼元が、前記予め設定された発呼元であるかを調べる（ステップＳ４）。
発呼元が、上記設定された発呼元でなければ着信要求を無視する（ステップＳ５）。また、着信を許可すると、着信応答信号を送信する（ステップＳ６）。
【００１１】
図６は、従量制ネットワークを介して着信した場合、着信を許可するが、圧縮効率を重視した音声コーデックを選択することにより、課金金額を低減化するようにした処理を示すフローチャートである。
本実施例では、端末装置に、圧縮効率を重視した音声コーデック手段（例えばＧ．７２９ａ等）と、品質重視の音声コーデック手段（例えばＧ．７１１等）を設けておく。
図６において、着信要求信号を受信すると、処理装置１は、着信応答信号を送信し、通信パラメータネゴシエーションを開始する（ステップＳ１，Ｓ２，Ｓ３）。
ついで、無料あるいは定額制ネットワークに接続中であるかを判断する（ステップＳ４）。
そして、無料あるいは定額制ネットワークに接続中の場合は、品質重視の音声コーデックを選択する（ステップＳ５）。また、無料あるいは定額制ネットワークに接続中でない場合には、圧縮効率重視の音声コーデックを選択する（ステップＳ８）。
ついで、通信ネゴシエーションを終了し、通話を開始する（ステップＳ６，Ｓ７）。その際、無料あるいは定額制ネットワークに接続中の場合には、高品質な音声コーデックで音声符号化し、無料あるいは定額制ネットワークに接続中でない場合には、品質は劣るものの、高効率な圧縮が可能な音声コーデックで音声符号化する。
なお、前記図４又は図５に示した実施例において、従量制のネットワークでの着信を許可した際、図６に示したように圧縮効率重視の音声コーデックを選択して、通話するようにしてもよい。これにより、図６の実施例と同様、課金金額を低減化することができる。
【図面の簡単な説明】
【００１２】
【図１】本発明の実施例の端末装置のハードウェア構成を示す図である。
【図２】本発明の端末装置のソフトウェア構成を示す図である。
【図３】ＩＰ電話における通信シーケンスを示す図である。
【図４】本発明の実施例の処理を示すフローチャート（１）である。
【図５】本発明の実施例の処理を示すフローチャート（２）である。
【図６】本発明の実施例の処理を示すフローチャート（３）である。
【符号の説明】
【００１３】
１  処理装置
２  メモリ／ＩＯバスコントローラ
３  メモリ（ＲＡＭ）
４  メモリ（ＲＯＭ）
５  ＷＬＡＮモジュール
６  ＷＡＮモジュール
７  オーディオコントローラ
８  マイク
９  スピーカ
【図１】
2005184288.tif 000003
【図２】
2005184288.tif 000004
【図３】
2005184288.tif 000005
【図４】
2005184288.tif 000006
【図５】
2005184288.tif 000007
【図６】
2005184288.tif 000008